(57)【要約】【課題】様々な符号化方式で符号化された映像データが混在している記録媒体からそれらを連続的に再生する場合における不都合を改善する。【解決手段】第１の符号化方式により符号化された第１の映像データと、第２の符号化方式により符号化された第２の映像データとを記録媒体から再生する再生手段１０２と、第２の映像データを復号する復号手段１０６と、復号手段１０６によって復号された映像データを第１の符号化方式で符号化する符号化手段１０７と、第１の映像データと符号化手段１０７によって符号化された第２の映像データとを外部に出力する出力手段１０９と、所定期間だけ再生手段１０２により再生された第１の映像データを遅延させる遅延手段１０５とを有する映像再生装置を提供する。【選択図】      図１
2006197129.tif 000002
【特許請求の範囲】
【請求項１】
第１の符号化方式により符号化された第１の映像データと、第２の符号化方式により符号化された第２の映像データとを記録媒体から再生する再生手段と、
前記第２の映像データを復号する復号手段と、
前記復号手段によって復号された映像データを前記第１の符号化方式で符号化する符号化手段と、
前記第１の映像データと前記符号化手段によって符号化された前記第２の映像データとを外部に出力する出力手段と、
少なくとも前記復号手段による復号処理及び前記符号化手段による符号化処理に要する期間だけ、前記再生手段により再生された前記第１の映像データを遅延して前記出力手段に供給する遅延手段と、
を有することを特徴とする再生装置。
【請求項２】
第１の符号化方式により符号化された第１の映像データと、第２の符号化方式により符号化された第２の映像データとを記録媒体から再生する再生手段と、
前記第２の映像データを復号する復号手段と、
前記復号手段によって復号された映像データを前記第１の符号化方式で符号化する符号化手段と、
前記第１の映像データと前記符号化手段によって符号化された前記第２の映像データとを外部に出力する出力手段と、
前記再生手段により再生された前記第１の映像データを第１の所定期間遅延して前記出力手段に供給する第１の遅延手段と、
前記符号化手段によって符号化された前記第２の映像データを前記第１の所定期間よりも短い第２の所定期間遅延して前記出力手段に供給する第２の遅延手段と、
を有することを特徴とする再生装置。
【請求項３】
第１の符号化方式により符号化された第１の映像データと、第２の符号化方式により符号化された第２の映像データとを記録媒体から再生する再生手段と、
前記第２の映像データを復号する復号手段と、
前記復号手段によって復号された映像データを前記第１の符号化方式で符号化する符号化手段と、
前記第１の映像データと前記符号化手段によって符号化された前記第２の映像データとを外部に出力する出力手段と、
前記再生手段により前記第１の映像データが再生されてから前記出力手段から出力されるまでの期間と、前記第２の映像データが前記再生手段により再生され、前記復号手段により復号され、前記符号化手段により符号化されて、前記出力手段から出力されるまでの期間とを略一致させるように、前記再生手段により再生された前記第１の映像データを遅延させて前記出力手段に供給する遅延手段と、
を有することを特徴とする再生装置。
【請求項４】
前記第１の符号化方式は、ＤＶ規格のＳＤモード又はＳＤＬモードで規定された符号化方式であることを特徴とする請求項１乃至３のいずれか１項に記載の再生装置。
【請求項５】
前記第２の符号化方式は、ＭＰＥＧ−２規格で規定された符号化方式であることを特徴とする請求項１乃至４のいずれか１項に記載の再生装置。
【請求項６】
第１の符号化方式により符号化された第１の映像データと、第２の符号化方式により符号化された第２の映像データとを記録媒体から再生する再生工程と、
前記第２の映像データを復号する復号工程と、
前記復号工程において復号された映像データを前記第１の符号化方式で符号化する符号化工程と、
前記第１の映像データと前記符号化工程において符号化された前記第２の映像データとを外部装置に出力手段を介して出力する出力工程と、
少なくとも前記復号工程における復号処理及び前記符号化工程における符号化処理に要する期間だけ、前記再生工程において再生された前記第１の映像データを遅延して前記出力手段に供給する遅延工程と、
を有することを特徴とする再生方法。
【請求項７】
第１の符号化方式により符号化された第１の映像データと、第２の符号化方式により符号化された第２の映像データとを記録媒体から再生する再生工程と、
前記第２の映像データを復号する復号工程と、
前記復号工程において復号された映像データを前記第１の符号化方式で符号化する符号化工程と、
前記第１の映像データと前記符号化工程において符号化された前記第２の映像データとを外部装置に出力手段を介して出力する出力工程と、
前記再生工程において再生された前記第１の映像データを第１の所定期間遅延して前記出力手段に供給する第１の遅延工程と、
前記符号化工程において符号化された前記第２の映像データを前記第１の所定期間よりも短い第２の所定期間遅延して前記出力手段に供給する第２の遅延工程と、
を有することを特徴とする再生方法。
【請求項８】
第１の符号化方式により符号化された第１の映像データと、第２の符号化方式により符号化された第２の映像データとを記録媒体から再生する再生工程と、
前記第２の映像データを復号する復号工程と、
前記復号工程において復号された映像データを前記第１の符号化方式で符号化する符号化工程と、
前記第１の映像データと前記符号化工程において符号化された前記第２の映像データとを外部装置に出力手段を介して出力する出力工程と、
前記再生工程において前記第１の映像データが再生されてから前記出力手段から出力されるまでの期間と、前記第２の映像データが再生され、復号され、符号化されて前記出力手段から出力されるまでの期間とを略一致させるよう、前記再生工程において再生された前記第１の映像データを遅延させて前記出力手段に供給する遅延工程と、
を有することを特徴とする再生方法。
【請求項９】
前記第１の符号化方式は、ＤＶ規格のＳＤモード又はＳＤＬモードで規定された符号化方式であることを特徴とする請求項６乃至８のいずれか１項に記載の再生方法。
【請求項１０】
前記第２の符号化方式は、ＭＰＥＧ−２規格で規定された符号化方式であることを特徴とする請求項６乃至９のいずれか１項に記載の再生方法。
【請求項１１】
第１の符号化方式により符号化された第１の映像データと、前記第１の符号化方式とは異なる複数の符号化方式により符号化された映像データを記録媒体から再生する再生手段と、
前記第１の符号化方式とは異なる符号化方式により符号化された映像データを前記第１の符号化方式の映像データに変換する変換手段と、
前記第１の映像データと前記変換手段により生成された第１の符号化方式の映像データとを外部に出力する出力手段と、
前記再生手段により前記第１の映像データが再生されてから前記出力手段から出力されるまでの期間と、前記第１の符号化方式とは異なる符号化方式の映像データが再生されてから前記変換手段によって変換されて前記出力手段から出力されるまでの期間を略一致させるように、前記再生手段により再生された映像データを遅延させる遅延手段と、
を有することを特徴とする再生装置。
【請求項１２】
前記遅延手段はバッファメモリを含み、前記バッファメモリは前記記録媒体から再生された第２の符号化方式により符号化された第２の映像データを前記変換手段によって前記第１の符号化方式による映像データに変換する処理に要する所定の期間、前記再生手段によって再生された映像データを遅延させるのに十分なサイズを有し、前記第２の符号化方式は前記第１の符号化方式とは異なる複数の符号化方式のうち、前記変換手段によって前記第１の符号化方式による映像データに変換する処理にもっとも時間がかかる符号化方式であることを特徴とする請求項１１に記載の再生装置。
【請求項１３】
前記遅延手段は、前記再生手段によって再生された前記第１の符号化方式とも前記第２の符号化方式とも異なる符号化方式により符号化された第３の映像データを、前記第２の符号化方式の映像データの前記変換手段による変換処理に要する所定の期間と、前記第３の映像データの前記変換手段による変換に要する所定の期間との差分に応じた期間遅延させることを特徴とする請求項１２に記載の再生装置。
【請求項１４】
第１の符号化方式により符号化された第１の映像データと、前記第１の符号化方式とは異なる複数の符号化方式により符号化された映像データを記録媒体から再生する再生手段と、
前記第１の符号化方式とは異なる符号化方式により符号化された映像データを復号する復号手段と、
前記復号手段によって復号された映像データを前記第１の符号化方式の映像データに符号化する符号化手段と、
前記第１の映像データと前記符号化手段により符号化された第１の符号化方式の映像データとを外部に出力する出力手段と、
前記再生手段により前記第１の映像データが再生されてから前記出力手段から出力されるまでの期間と、前記第１の符号化方式とは異なる符号化方式の映像データが再生されてから前記符号化手段によって符号化されて前記出力手段から出力されるまでの期間を略一致させるように、前記再生手段により再生された映像データを遅延させる遅延手段と、
を有することを特徴とする再生装置。
【請求項１５】
前記遅延手段はバッファメモリを含み、前記バッファメモリは前記記録媒体から再生された第２の符号化方式により符号化された第２の映像データを前記復号手段および前記符号化手段によって前記第１の符号化方式による映像データを生成する処理に要する所定の期間、前記再生手段によって再生された映像データを遅延させるのに十分なサイズを有し、前記第２の符号化方式は前記第１の符号化方式とは異なる複数の符号化方式のうち、前記復号手段および前記符号化手段によって前記第１の符号化方式による映像データを生成する処理にもっとも時間がかかる符号化方式であることを特徴とする請求項１４に記載の再生装置。
【請求項１６】
前記遅延手段は、前記記録媒体から再生された第１の符号化方式とも第２の符号化方式とも異なる符号化方式により符号化された第３の映像データを前記復号手段によって復号した映像データを、前記第２の符号化方式の映像データの前記復号手段による復号処理に要する所定の期間と、前記第３の映像データの前記復号手段による復号処理に要する所定の期間との差分に応じた期間遅延させることを特徴とする請求項１５に記載の再生装置。
【請求項１７】
第１の符号化方式により符号化された第１の映像データと、前記第１の符号化方式とは異なる複数の符号化方式により符号化された映像データを記録媒体から再生する再生工程と、
前記第１の符号化方式とは異なる符号化方式により符号化された映像データを前記第１の符号化方式の映像データに変換する変換工程と、
前記第１の映像データと前記変換工程において生成された第１の符号化方式の映像データとを外部装置に出力手段を介して出力する出力工程と、
前記再生工程において前記第１の映像データが再生されてから前記出力手段から出力されるまでの期間と、前記第１の符号化方式とは異なる符号化方式の映像データが再生されてから前記変換工程において変換されて前記出力手段から出力されるまでの期間を略一致させるよう、前記再生工程において再生された映像データを遅延させる遅延工程と、
を有することを特徴とする再生方法。
【請求項１８】
前記遅延工程では、前記記録媒体から再生された第２の符号化方式により符号化された第２の映像データを前記変換工程において前記第１の符号化方式による映像データに変換する処理に要する所定の期間、前記再生工程において再生された映像データを遅延させ、前記第２の符号化方式は前記第１の符号化方式とは異なる複数の符号化方式のうち、前記変換工程において前記第１の符号化方式による映像データに変換する処理にもっとも時間がかかる符号化方式であることを特徴とする請求項１７に記載の再生方法。
【請求項１９】
前記遅延工程では、前記再生工程において再生された前記第１の符号化方式とも前記第２の符号化方式とも異なる符号化方式により符号化された第３の映像データを、前記第２の符号化方式の映像データの前記変換工程による変換処理に要する所定の期間と、前記第３の映像データの前記変換工程による変換に要する所定の期間との差分に応じた期間遅延させることを特徴とする請求項１８に記載の再生方法。
【請求項２０】
第１の符号化方式により符号化された第１の映像データと、前記第１の符号化方式とは異なる複数の符号化方式により符号化された映像データを記録媒体から再生する再生工程と、
前記第１の符号化方式とは異なる符号化方式により符号化された映像データを復号する復号工程と、
前記復号工程において復号された映像データを前記第１の符号化方式の映像データに符号化する符号化工程と、
前記第１の映像データと前記符号化工程において符号化された第１の符号化方式の映像データとを外部装置に出力手段を介して出力する出力工程と、
前記再生工程において前記第１の映像データが再生されてから前記出力手段から出力されるまでの期間と、前記第１の符号化方式とは異なる符号化方式の映像データが再生されてから前記符号化工程において符号化されて前記出力手段から出力されるまでの期間を略一致させるように、前記再生工程において再生された映像データを遅延させる遅延工程と、
を有することを特徴とする再生方法。
【請求項２１】
前記遅延工程では、前記記録媒体から再生された第２の符号化方式により符号化された第２の映像データを前記復号工程および前記符号化工程において前記第１の符号化方式による映像データを生成する処理に要する所定の期間、前記再生工程において再生された映像データを遅延させ、前記第２の符号化方式は前記第１の符号化方式とは異なる複数の符号化方式のうち、前記復号工程および前記符号化工程によって前記第１の符号化方式による映像データを生成する処理にもっとも時間がかかる符号化方式であることを特徴とする請求項２０に記載の再生方法。
【請求項２２】
前記遅延工程では、前記記録媒体から再生された第１の符号化方式とも第２の符号化方式とも異なる符号化方式により符号化された第３の映像データを前記復号工程において復号した映像データを、前記第２の符号化方式の映像データの前記復号工程における復号処理に要する所定の期間と、前記第３の映像データの前記復号工程における復号処理に要する所定の期間との差分に応じた期間遅延させることを特徴とする請求項２１に記載の再生方法。 
【請求項２３】
請求項６乃至１０のいずれか１項に記載の再生方法を再生装置内の制御手段に実行させることを特徴とするプログラム。
【請求項２４】
請求項２３に記載のプログラムをコンピュータ読み取り可能に記憶したことを特徴とする記憶媒体。
【請求項２５】
請求項１７乃至２２のいずれか１項に記載の再生方法を再生装置内の制御手段に実行させることを特徴とするプログラム。
【請求項２６】
請求項２５に記載のプログラムをコンピュータ読み取り可能に記憶したことを特徴とする記憶媒体。
【発明の詳細な説明】
【技術分野】
【０００１】
本発明は、磁気テープ等の記録媒体に記録されている符号化映像データを再生する再生装置等に関する。
【背景技術】
【０００２】
従来の映像記録方法には、ＨＤデジタルＶＣＲ協議会（HD Digital VCR Conference）により提案されたＤＶ規格に従って符号化されたＳＤ（Standard Definition）映像データをＤＶ規格に準拠した磁気テープに記録するものがある。
【０００３】
最近では、ＭＰＥＧ−２（Moving Picture Expert Group 2）規格に準拠した符号化方式に従って符号化されたＨＤ（High Definition）映像データをＤＶ規格に準拠した磁気テープに記録する映像記録方法が提案されている（例えば、特許文献１参照）。この映像記録方法によれば、一つの磁気テープにＳＤ映像データだけでなく、ＨＤ映像データも記録することができる。
【特許文献１】特開２００１−２９１３３５号公報
【発明の開示】
【発明が解決しようとする課題】
【０００４】
上記の磁気テープからＳＤ映像データ及びＨＤ映像データを再生し、それらをIEEE Std 1394-1995等に準拠したデジタルインターフェース部から外部装置に出力する場合を考える。この場合において、外部装置がＤＶ規格にのみ準拠した装置である場合、その外部装置はＨＤ映像データを扱えないため、ＨＤ映像データを出力してもＨＤ映像データを復号することも記録することもできない。現状のデジタルビデオカメラは、ＤＶ規格にのみ準拠した装置が一般的であるため、このような問題は十分生じ得る。
【０００５】
このような問題を解決する方法の一つとして、ＨＤ映像データをＳＤ映像データに変換して出力することが考えられる。
【０００６】
しかしながら、ＨＤ映像データをＳＤ映像データに変換して出力する方法では、図１０に示すように、ＳＤ映像データとＨＤ映像データとが切り替わる部分において映像データを出力することができなかったり、映像データの一部を出力できなかったりするという問題が生じる。
【０００７】
例えば、ＳＤ映像データに続けてＨＤ映像データを再生した場合は、ＨＤ映像データを復号し、復号後のＨＤ映像データをＳＤ映像データに変換してから出力しなければならないため、ＨＤ映像データから生成されたＳＤ映像データの出力が遅れてしまい、一定期間（図１０の符号１００１の部分）映像データを出力できないという問題が生じる。特に、ＨＤ映像データがＭＰＥＧ−２規格に準拠している場合は、Ｉ、Ｂ及びＰピクチャに対応する映像データの並べ替えを行わなくてはならず、復号に時間がかかり、映像データの出力ができない期間が長くなる。映像データの出力ができない期間が長くなると、ＳＤ映像データの再生が終了した時点で再生が終了したとユーザ又は外部装置に勘違いをさせてしまう恐れがある。
【０００８】
また、ＨＤ映像データに続けてＳＤ映像データを再生した場合は、ＨＤ映像データから生成されたＳＤ映像データの出力が完了する前に次のＳＤ映像データの出力が始まってしまうため、ＨＤ映像データの最後の部分又はＳＤ映像データの最初の部分を出力することができないという問題が生じる。特に、ＨＤ映像データがＭＰＥＧ−２規格に準拠している場合は、Ｉ、Ｂ及びＰピクチャに対応する映像データの並べ替えを行わなくてはならず、復号に時間がかかり、出力できない部分が大きくなる。出力できない部分が大きくなると、肝心な部分を見ることも記録することもできない恐れがある。
【０００９】
このような問題は、様々な符号化方式で符号化された映像データが混在している記録媒体（特に、磁気テープ）からそれらを連続的に再生する場合に生じ得る問題である。
【００１０】
本発明は、このような課題に鑑みてなされたものであり、様々な符号化方式で符号化された映像データが混在している記録媒体からそれらを連続的に再生する場合における不都合を改善することを目的とする。例えば、映像データの出力ができない期間を削減し、映像データの出力できない部分を削減することを目的とする。
【課題を解決するための手段】
【００１１】
本発明に係る再生装置の一つは、第１の符号化方式により符号化された第１の映像データと、第２の符号化方式により符号化された第２の映像データとを記録媒体から再生する再生手段と、前記第２の映像データを復号する復号手段と、前記復号手段によって復号された映像データを前記第１の符号化方式で符号化する符号化手段と、前記第１の映像データと前記符号化手段によって符号化された前記第２の映像データとを外部に出力する出力手段と、少なくとも前記復号手段による復号処理及び前記符号化手段による符号化処理に要する期間だけ、前記再生手段により再生された前記第１の映像データを遅延して前記出力手段に供給する遅延手段と、を有することを特徴とする。
【００１２】
本発明に係る再生装置の一つは、第１の符号化方式により符号化された第１の映像データと、第２の符号化方式により符号化された第２の映像データとを記録媒体から再生する再生手段と、前記第２の映像データを復号する復号手段と、前記復号手段によって復号された映像データを前記第１の符号化方式で符号化する符号化手段と、前記第１の映像データと前記符号化手段によって符号化された前記第２の映像データとを外部に出力する出力手段と、前記再生手段により再生された前記第１の映像データを第１の所定期間遅延して前記出力手段に供給する第１の遅延手段と、前記符号化手段によって符号化された前記第２の映像データを前記第１の所定期間よりも短い第２の所定期間遅延して前記出力手段に供給する第２の遅延手段と、を有することを特徴とする。
【００１３】
本発明に係る再生装置の一つは、第１の符号化方式により符号化された第１の映像データと、第２の符号化方式により符号化された第２の映像データとを記録媒体から再生する再生手段と、前記第２の映像データを復号する復号手段と、前記復号手段によって復号された映像データを前記第１の符号化方式で符号化する符号化手段と、前記第１の映像データと前記符号化手段によって符号化された前記第２の映像データとを外部に出力する出力手段と、前記再生手段により前記第１の映像データが再生されてから前記出力手段から出力されるまでの期間と、前記第２の映像データが前記再生手段により再生され、前記復号手段により復号され、前記符号化手段により符号化されて、前記出力手段から出力されるまでの期間とを略一致させるように、前記再生手段により再生された前記第１の映像データを遅延させて前記出力手段に供給する遅延手段と、を有することを特徴とする。
【００１４】
本発明に係る再生方法の一つは、第１の符号化方式により符号化された第１の映像データと、第２の符号化方式により符号化された第２の映像データとを記録媒体から再生する再生工程と、前記第２の映像データを復号する復号工程と、前記復号工程において復号された映像データを前記第１の符号化方式で符号化する符号化工程と、前記第１の映像データと前記符号化工程において符号化された前記第２の映像データとを外部装置に出力手段を介して出力する出力工程と、少なくとも前記復号工程における復号処理及び前記符号化工程における符号化処理に要する期間だけ、前記再生工程において再生された前記第１の映像データを遅延して前記出力手段に供給する遅延工程と、を有することを特徴とする。
【００１５】
本発明に係る再生方法の一つは、第１の符号化方式により符号化された第１の映像データと、第２の符号化方式により符号化された第２の映像データとを記録媒体から再生する再生工程と、前記第２の映像データを復号する復号工程と、前記復号工程において復号された映像データを前記第１の符号化方式で符号化する符号化工程と、前記第１の映像データと前記符号化工程において符号化された前記第２の映像データとを外部装置に出力手段を介して出力する出力工程と、前記再生工程において再生された前記第１の映像データを第１の所定期間遅延して前記出力手段に供給する第１の遅延工程と、前記符号化工程において符号化された前記第２の映像データを前記第１の所定期間よりも短い第２の所定期間遅延して前記出力手段に供給する第２の遅延工程と、を有することを特徴とする。
【００１６】
本発明に係る再生方法の一つは、第１の符号化方式により符号化された第１の映像データと、第２の符号化方式により符号化された第２の映像データとを記録媒体から再生する再生工程と、前記第２の映像データを復号する復号工程と、前記復号工程において復号された映像データを前記第１の符号化方式で符号化する符号化工程と、前記第１の映像データと前記符号化工程において符号化された前記第２の映像データとを外部装置に出力手段を介して出力する出力工程と、前記再生工程において前記第１の映像データが再生されてから前記出力手段から出力されるまでの期間と、前記第２の映像データが再生され、復号され、符号化されて前記出力手段から出力されるまでの期間とを略一致させるよう、前記再生工程において再生された前記第１の映像データを遅延させて前記出力手段に供給する遅延工程と、を有することを特徴とする。
【００１７】
本発明に係る再生装置の一つは、第１の符号化方式により符号化された第１の映像データと、前記第１の符号化方式とは異なる複数の符号化方式により符号化された映像データを記録媒体から再生する再生手段と、前記第１の符号化方式とは異なる符号化方式により符号化された映像データを前記第１の符号化方式の映像データに変換する変換手段と、前記第１の映像データと前記変換手段により生成された第１の符号化方式の映像データとを外部に出力する出力手段と、前記再生手段により前記第１の映像データが再生されてから前記出力手段から出力されるまでの期間と、前記第１の符号化方式とは異なる符号化方式の映像データが再生されてから前記変換手段によって変換されて前記出力手段から出力されるまでの期間を略一致させるように、前記再生手段により再生された映像データを遅延させる遅延手段と、を有することを特徴とする。
【００１８】
本発明に係る再生装置の一つは、第１の符号化方式により符号化された第１の映像データと、前記第１の符号化方式とは異なる複数の符号化方式により符号化された映像データを記録媒体から再生する再生手段と、前記第１の符号化方式とは異なる符号化方式により符号化された映像データを復号する復号手段と、前記復号手段によって復号された映像データを前記第１の符号化方式の映像データに符号化する符号化手段と、前記第１の映像データと前記符号化手段により符号化された第１の符号化方式の映像データとを外部に出力する出力手段と、前記再生手段により前記第１の映像データが再生されてから前記出力手段から出力されるまでの期間と、前記第１の符号化方式とは異なる符号化方式の映像データが再生されてから前記符号化手段によって符号化されて前記出力手段から出力されるまでの期間を略一致させるように、前記再生手段により再生された映像データを遅延させる遅延手段と、有することを特徴とする。
【００１９】
本発明に係る再生方法の一つは、第１の符号化方式により符号化された第１の映像データと、前記第１の符号化方式とは異なる複数の符号化方式により符号化された映像データを記録媒体から再生する再生工程と、前記第１の符号化方式とは異なる符号化方式により符号化された映像データを前記第１の符号化方式の映像データに変換する変換工程と、前記第１の映像データと前記変換工程において生成された第１の符号化方式の映像データとを外部装置に出力手段を介して出力する出力工程と、前記再生工程において前記第１の映像データが再生されてから前記出力手段から出力されるまでの期間と、前記第１の符号化方式とは異なる符号化方式の映像データが再生されてから前記変換工程において変換されて前記出力手段から出力されるまでの期間を略一致させるよう、前記再生工程において再生された映像データを遅延させる遅延工程と、を有することを特徴とする。
【００２０】
本発明に係る再生方法の一つは、第１の符号化方式により符号化された第１の映像データと、前記第１の符号化方式とは異なる複数の符号化方式により符号化された映像データを記録媒体から再生する再生工程と、前記第１の符号化方式とは異なる符号化方式により符号化された映像データを復号する復号工程と、前記復号工程において復号された映像データを前記第１の符号化方式の映像データに符号化する符号化工程と、前記第１の映像データと前記符号化工程において符号化された第１の符号化方式の映像データとを外部装置に出力手段を介して出力する出力工程と、前記再生工程において前記第１の映像データが再生されてから前記出力手段から出力されるまでの期間と、前記第１の符号化方式とは異なる符号化方式の映像データが再生されてから前記符号化工程において符号化されて前記出力手段から出力されるまでの期間を略一致させるように、前記再生工程において再生された映像データを遅延させる遅延工程と、を有することを特徴とする。
【発明の効果】
【００２１】
本発明によれば、再生映像データの符号化方式の切り替え部分における欠落を改善することができる。
【発明を実施するための最良の形態】
【００２２】
以下、本発明の好適な実施形態について、図面を参照して詳細に説明する。
【００２３】
以下の各実施形態では、ＤＶ規格のＳＤモードで規定された符号化方式を「ＤＶ−ＳＤフォーマット」と呼び、ＤＶ−ＳＤフォーマットに従って符号化されたＳＤ映像データを「ＤＶ−ＳＤデータ」と呼ぶ。ＳＤ映像データには、例えば、４８０ｉ方式を採用する。４８０ｉ方式は、４８０本の有効走査線数と、インターレーススキャンとを採用した映像方式である。また、ＤＶ規格のＳＤＬモードで規定された符号化方式を「ＤＶ−ＳＤＬフォーマット」と呼び、ＤＶ−ＳＤＬフォーマットに従って符号化されたＳＤ映像データを「ＤＶ−ＳＤＬデータ」と呼ぶ。ＤＶ−ＳＤＬフォーマットは、ＤＶ−ＳＤフォーマットよりも圧縮率を高くして記録ビットレートを低くなるようにした符号化方式である。また、ＭＰＥＧ−２規格に準拠した符号化方式（ＭＰ＠ＨＬ、ＭＰ＠Ｈ−１４など）を「ＭＰＥＧ２フォーマット」と呼び、ＭＰＥＧ２フォーマットに従って符号化されたＨＤ映像データを「ＭＰＥＧ２データ」と呼ぶ。ＨＤ映像データには、例えば、１０８０ｉ方式を採用する。１０８０ｉ方式は、１０８０本の有効走査線数と、インターレーススキャンとを採用した映像方式である。
【００２４】
［第１の実施形態］
図１は、本発明の第１の実施形態に係る映像再生装置（デジタルビデオレコーダ、デジタルビデオカメラ等）の構成を示すブロック図である。第１の実施形態に係る映像再生装置は、ＤＶ−ＳＤデータ及びＭＰＥＧ２データが記録されている記録媒体からそれらを再生し、ＭＰＥＧ２データが再生された場合はそれをＤＶ−ＳＤデータに変換して外部に出力する装置である。
【００２５】
図１において、記録媒体１０１は、ＤＶ規格に準拠した磁気テープであり、ＤＶ−ＳＤデータ及びＭＰＥＧ２データが記録されている。ＤＶ−ＳＤデータ及びＭＰＥＧ２データはどのような順番で記録されていてもよい。また、記録媒体１０１は、磁気テープ以外の記録媒体でもよい。
【００２６】
再生部１０２は、ユーザからの指示に従って記録媒体１０１から符号化映像データを再生する。
【００２７】
フォーマット検出部１０３は、符号化映像データとともに再生されたフォーマット情報を検出し、それを制御部１１１に通知する。フォーマット情報は、符号化映像データの符号化方式を示す情報であり、ＩＴＩ（インサートアンドトラックインフォメーション）セクタ、サブコードセクタ等に記録されているものとする。制御部１１１は、フォーマット検出部１０３からのフォーマット情報により符号化映像データの符号化方式がＤＶ−ＳＤフォーマット及びＭＰＥＧ２フォーマットの何れであるかを判定する。
【００２８】
スイッチ１０４は、制御部１１１からの指示に従ってバッファメモリ１０５又はＭＰＥＧ２デコーダ１０６を選択する。記録媒体１０１から再生された符号化映像データの符号化方式がＤＶ−ＳＤフォーマットであると判定した場合、制御部１１１はスイッチ１０４にバッファメモリ１０５を選択させる。また、記録媒体１０１から再生された符号化映像データの符号化方式がＭＰＥＧ２フォーマットであると判定した場合、制御部１１１はスイッチ１０４にＭＰＥＧ２デコーダ１０６を選択させる。
【００２９】
バッファメモリ１０５は、記録媒体１０１から再生されたＤＶ−ＳＤデータに所定期間Ｔ１の遅延を与えるのに十分な容量を有するメモリである。本実施形態では、バッファメモリ１０５をランダムアクセスメモリで構成するが、これ以外の構成を採用してもよい。バッファメモリ１０５の読み出し及び書き込みは制御部１１１が制御する。
【００３０】
所定期間Ｔ１は、バッファメモリ１０５からのＤＶ−ＳＤデータとＤＶ−ＳＤエンコーダ１０７からのＤＶ−ＳＤデータとの間が一定期間以上広がらないようにするとともに、これらのＤＶ−ＳＤデータが重なり合わないようにするための期間である。所定期間Ｔ１は、（１）所定単位（例えば、１ＧＯＰ）のＭＰＥＧ２データをＤＶ−ＳＤデータに変換するまでに要する期間よりも長い期間としてもよく、（２）ＭＰＥＧ２データの最初の部分が再生され、ＤＶ−ＳＤデータに変換され、出力端子１１０から出力されるまでの期間と、ＤＶ−ＳＤデータの最初の部分が再生され、出力端子１１０から出力されるまでの期間とが略一致する期間としてもよい。また、所定期間Ｔ１は、ＭＰＥＧ２データのデータレートによって変化するようにしてもよい。
【００３１】
ＭＰＥＧ２デコーダ１０６は、再生部１０２からのＭＰＥＧ２データを復号し、復号したＭＰＥＧ２データをＤＶ−ＳＤエンコーダ１０７に供給する。このとき、ＭＰＥＧ２デコーダ１０６は、図５に示すように、Ｉ、Ｐ及びＢピクチャに係る映像データを正しい順番に並べ替え、それらをＤＶ−ＳＤエンコーダ１０７に供給する。
【００３２】
ＤＶ−ＳＤエンコーダ１０７は、ＭＰＥＧ２デコーダ１０６からの映像データをＤＶ−ＳＤフォーマットに従って符号化する。つまり、ＤＶ−ＳＤエンコーダ１０７は、復号済みのＭＰＥＧ２データをＤＶ−ＳＤデータに変換する。
【００３３】
スイッチ１０８は、制御部１１１からの指示に従ってバッファメモリ１０５又はＤＶ−ＳＤエンコーダ１０７を選択する。スイッチ１０８がバッファメモリ１０５又はＤＶ−ＳＤエンコーダ１０７を選択するタイミングは、制御部１１１により制御される。制御部１１１は、バッファメモリ１０５からのＤＶ−ＳＤデータとＤＶ−ＳＤエンコーダ１０７からのＤＶ−ＳＤデータとができるだけ連続するようにスイッチ１０８を制御する。これにより、ＤＶ−ＳＤデータとＭＰＥＧ２データとを連続的に再生する場合であっても、ＤＶ−ＳＤデータとＭＰＥＧ２データから生成されたＤＶ−ＳＤデータとを連続的に出力端子１１０から外部装置に出力することができるようになる。
【００３４】
デジタルインターフェース部１０９は、バッファメモリ１０５又はＤＶ−ＳＤエンコーダ１０７からのＤＶ−ＳＤデータを出力端子１１０から外部装置に出力する。このとき、デジタルインターフェース部１０９は、所定の転送方式（例えば、USB(Universal Serial Bus)、IEEE Std 1394-1995等で規定されたアイソクロナス転送（isochronous transfer））に従ってＤＶ−ＳＤデータを外部に出力する。また、デジタルインターフェース部１０９は、バッファメモリ１０５からのＤＶ−ＳＤデータとＤＶ−ＳＤエンコーダ１０７からのＤＶ−ＳＤデータとの間に隙間がある場合、ヌルパケットを出力端子１１０から外部装置に出力する。本実施形態では、ＤＶ規格用のＣＩＰ（Common Isochronous Header）ヘッダのみを有するアイソクロナスパケットをヌルパケットとする。ＣＩＰヘッダについては、IEC 61883-1及びIEC 61883-2に記載されているので説明を省略する。
【００３５】
制御部１１１は、制御部１１１内のメモリに格納されたコンピュータプログラムに従って図１に示す映像再生装置の動作を制御する。
【００３６】
図２は、ＤＶ−ＳＤデータに続けてＭＰＥＧ２データを記録媒体１０１から再生する場合における手順を説明するための図である。
【００３７】
記録媒体１０１から再生されたＤＶ−ＳＤデータは、再生部１０２からバッファメモリ１０５に供給される。ＤＶ−ＳＤデータは、バッファメモリ１０５で所定期間Ｔ１だけ遅延した後、デジタルインターフェース部１０９に供給される。
【００３８】
ＤＶ−ＳＤデータの後に記録媒体１０１から再生されたＭＰＥＧ２データは、再生部１０２からＭＰＥＧ２デコーダ１０６に供給される。ＭＰＥＧ２データは、ＭＰＥＧ２デコーダ１０６で復号され、ＤＶ−ＳＤエンコーダ１０７でＤＶ−ＳＤデータに変換された後、デジタルインターフェース部１０９に供給される。このとき、ＭＰＥＧ２デコーダ１０６は、図２に示すように、Ｉ、Ｐ及びＢピクチャに係る映像データを正しい順番に並べ替え、それらをＤＶ−ＳＤエンコーダ１０７に供給する。
【００３９】
制御部１１１は、バッファメモリ１０５からのＤＶ−ＳＤデータとＤＶ−ＳＤエンコーダ１０７からのＤＶ−ＳＤデータとができるだけ連続するようにスイッチ１０８を制御する。デジタルインターフェース部１０９は、バッファメモリ１０５からのＤＶ−ＳＤデータを出力端子１１０から出力した後、ＤＶ−ＳＤエンコーダ１０７からのＤＶ−ＳＤデータを出力端子１１０から出力する。この結果、再生されたＤＶ−ＳＤデータと再生されたＭＰＥＧ２データから生成されたＤＶ−ＳＤデータとは、図２に示すように、ほとんど途切れることなく出力端子１１０から出力されることになる。
【００４０】
このように、本実施形態に係る映像再生装置によれば、記録媒体１０１から再生されたＤＶ−ＳＤデータをバッファメモリ１０５で遅延させることができるので、ＤＶ−ＳＤデータに続けてＭＰＥＧ２データを再生する場合であっても、再生されたＤＶ−ＳＤデータと再生されたＭＰＥＧ２データから生成されたＤＶ−ＳＤデータとを連続的に出力端子１１０から外部装置に出力することができる。これにより、映像データの出力ができない期間を削減することができ、ユーザ又は外部装置に勘違いをさせてしまうという問題を解決することができる。
【００４１】
図３は、ＭＰＥＧ２データに続けてＤＶ−ＳＤデータを記録媒体１０１から再生する場合における手順を説明するための図である。
【００４２】
記録媒体１０１から再生されたＭＰＥＧ２データは、再生部１０２からＭＰＥＧ２デコーダ１０６に供給される。ＭＰＥＧ２データは、ＭＰＥＧ２デコーダ１０６で復号され、ＤＶ−ＳＤエンコーダ１０７でＤＶ−ＳＤデータに変換された後、デジタルインターフェース部１０９に供給される。このとき、ＭＰＥＧ２デコーダ１０６は、図３に示すように、Ｉ、Ｐ及びＢピクチャに係る映像データを正しい順番に並べ替え、それらをＤＶ−ＳＤエンコーダ１０７に供給する。
【００４３】
ＭＰＥＧ２データの後に記録媒体１０１から再生されたＤＶ−ＳＤデータは、再生部１０２からバッファメモリ１０５に供給される。ＤＶ−ＳＤデータは、バッファメモリ１０５で所定期間Ｔ１だけ遅延された後、デジタルインターフェース部１０９に供給される。
【００４４】
制御部１１１は、バッファメモリ１０５からのＤＶ−ＳＤデータとＤＶ−ＳＤエンコーダ１０７からのＤＶ−ＳＤデータとができるだけ連続するようにスイッチ１０８を制御する。デジタルインターフェース部１０９は、ＤＶ−ＳＤエンコーダ１０７からのＤＶ−ＳＤデータを出力端子１１０から出力した後、バッファメモリ１０５からのＤＶ−ＳＤデータを出力端子１１０から出力する。この結果、再生されたＤＶ−ＳＤデータと再生されたＭＰＥＧ２データから生成されたＤＶ−ＳＤデータとは、図３に示すように、重なり合うことなく出力端子１１０から出力されることになる。
【００４５】
このように、本実施形態に係る映像再生装置によれば、記録媒体１０１から再生されたＤＶ−ＳＤデータをバッファメモリ１０５で遅延させることができるので、ＭＰＥＧ２データに続けてＤＶ−ＳＤデータを再生する場合であっても、ＭＰＥＧ２データから生成されたＤＶ−ＳＤデータとＭＰＥＧ２データの後に再生されたＤＶ−ＳＤデータとを連続的に出力端子１１０から出力することができるようになる。これにより、映像データの出力ができない部分を削減することができ、肝心な部分を見ることも記録することもできないという問題を解決することができる。
【００４６】
尚、本実施形態に係る映像再生装置は、バッファメモリ１０５をディレイラインのような遅延素子に置き換えて構成することも可能である。
【００４７】
［第２の実施形態］
図４は、本発明の第２の実施形態に係る映像再生装置（デジタルビデオレコーダ、デジタルビデオカメラ等）の構成を示すブロック図であり、前述の図１の構成と同様の機能を有する部分については同じ記号を用い、その説明を省略する。
【００４８】
本実施形態が第１の実施形態と異なる点は、ＭＰＥＧ２デコーダ１０６の前にバッファメモリ４０１を設けたことである。バッファメモリ４０１は、再生部１０２からのＭＰＥＧ２データを一時的に保持することができる。本実施形態では、バッファメモリ４０１をランダムアクセスメモリにより構成するが、これ以外の構成を採用してもよい。バッファメモリ４０１の読み出し及び書き込みも制御部１１１が制御する。また、本実施の形態では、ＭＰＥＧ２デコーダ１０６の前にバッファメモリ４０１を設けたので、本実施の形態に係るバッファメモリ１０５のサイズは、第１の実施形態に係るバッファメモリ１０５のサイズよりも大きくする必要がある。
【００４９】
尚、本実施形態に係る映像再生装置は、バッファメモリ１０５及び／又は４０１をディレイラインのような遅延素子に置き換えて構成することも可能である。また、本実施形態に係る映像再生装置は、バッファメモリ４０１とバッファメモリ１０５を異なるメモリで構成したが、これらを１つのメモリで構成することも可能である。
【００５０】
図６は、第１及び第２の実施形態に係る映像再生装置で実行される再生処理の流れを説明するフローチャートである。この再生処理は、制御部１１１内のメモリに格納されたコンピュータプログラムに従って制御されるものとする。
【００５１】
ステップＳ６−１：再生部１０２は、ユーザからの指示に従って記録媒体１０１から符号化映像データを再生する。
【００５２】
ステップＳ６−２：制御部１１１は、フォーマット検出部１０３からのフォーマット情報により符号化映像データの符号化方式がＤＶ−ＳＤフォーマット及びＭＰＥＧ２フォーマットの何れかであるか判定する。符号化方式がＤＶ−ＳＤフォーマットであると判定した場合はステップＳ６−３に進み、ＭＰＥＧ２フォーマットであると判定した場合はステップＳ６−４に進む。
【００５３】
ステップＳ６−３：バッファメモリ１０５は、記録媒体１０１から再生されたＤＶ−ＳＤデータに所定期間Ｔ１の遅延を与える。
【００５４】
ステップＳ６−４：ＭＰＥＧ２デコーダ１０６は、再生部１０２からのＭＰＥＧ２データを復号し、復号したＭＰＥＧ２データをＤＶ−ＳＤエンコーダ１０７に供給する。
【００５５】
ステップＳ６−５：ＤＶ−ＳＤエンコーダ１０７は、ＭＰＥＧ２デコーダ１０６からの映像データをＤＶ−ＳＤフォーマットに従って符号化する。つまり、ＤＶ−ＳＤエンコーダ１０７は、復号済みのＭＰＥＧ２データをＤＶ−ＳＤデータに変換する。
【００５６】
ステップＳ６−６：デジタルインターフェース部１０９は、バッファメモリ１０５又はＤＶ−ＳＤエンコーダ１０７からのＤＶ−ＳＤデータを出力端子１１０から外部装置に出力する。但し、バッファメモリ１０５からのＤＶ−ＳＤデータとＤＶ−ＳＤエンコーダ１０７からのＤＶ−ＳＤデータとの間に隙間がある場合、上記のヌルパケットを出力端子１１０から外部装置に出力する。
【００５７】
［第３の実施形態］
図７は、本発明の第３の実施形態に係る映像再生装置（デジタルビデオレコーダ、デジタルビデオカメラ等）の構成を示すブロック図である。本実施形態に係る映像再生装置は、第１の実施形態に係る映像再生装置と異なり、ＤＶ−ＳＤデータ、ＤＶ−ＳＤＬデータ及びＭＰＥＧ２データが記録されている記録媒体からそれらを再生し、ＤＶ−ＳＤＬデータ及びＭＰＥＧ２データが再生された場合はそれらをＤＶ−ＳＤデータに変換して外部に出力する装置である。
【００５８】
図７において、記録媒体７０１は、ＤＶ規格で規定された磁気テープであり、ＤＶ−ＳＤデータ、ＤＶ−ＳＤＬデータ及びＭＰＥＧ２データが記録されている。ＤＶ−ＳＤデータ、ＤＶ−ＳＤＬデータ及びＭＰＥＧ２データはどのような順番で記録されていてもよい。また、記録媒体７０１は、磁気テープ以外の記録媒体でもよい。
【００５９】
再生部７０２は、ユーザからの指示に従って記録媒体７０１から符号化映像データを再生する。
【００６０】
フォーマット検出部７０３は、符号化映像データとともに再生されたフォーマット情報を検出し、それを制御部７１３に通知する。フォーマット情報は、符号化映像データの符号化方式を示す情報であり、ＩＴＩ（インサートアンドトラックインフォメーション）セクタ、サブコードセクタ等に記録されているものとする。制御部７１３は、フォーマット検出部７０３からのフォーマット情報により符号化映像データの符号化方式がＤＶ−ＳＤフォーマット、ＤＶ−ＳＤＬフォーマット及びＭＰＥＧ２フォーマットの何れであるかを判定する。
【００６１】
スイッチ７０４は、制御部７１３からの指示に従ってバッファメモリ７０５、バッファメモリ７０６又はＭＰＥＧ２デコーダ７０８を選択する。記録媒体７０１から再生された符号化映像データの符号化方式がＤＶ−ＳＤフォーマットであると判定した場合、制御部７１３はスイッチ７０４にバッファメモリ７０５を選択させる。記録媒体７０１から再生された符号化映像データの符号化方式がＤＶ−ＳＤＬフォーマットであると判定した場合、制御部７１３はスイッチ７０４にバッファメモリ７０６を選択させる。また、記録媒体７０１から再生された符号化映像データの符号化方式がＭＰＥＧ２フォーマットであると判定した場合、制御部７１３はスイッチ７０４にＭＰＥＧ２デコーダ７０８を選択させる。
【００６２】
バッファメモリ７０５は、記録媒体７０１から再生されたＤＶ−ＳＤデータに所定期間Ｔ１の遅延を与えるのに十分な容量を有するメモリである。本実施形態では、バッファメモリ７０５をランダムアクセスメモリで構成するが、これ以外の構成を採用してもよい。バッファメモリ７０５の読み出し及び書き込みも制御部７１３が制御する。
【００６３】
所定期間Ｔ１は、バッファメモリ７０５からのＤＶ−ＳＤデータとＤＶ−ＳＤエンコーダ１０７からのＤＶ−ＳＤデータとの間が一定期間以上広がらないようにするとともに、これらのＤＶ−ＳＤデータが重なり合わないようにするための期間である。所定期間Ｔ１は、（１）所定単位（例えば、１ＧＯＰ）のＭＰＥＧ２データをＤＶ−ＳＤデータに変換するまでに要する期間よりも長い期間としてもよく、（２）ＭＰＥＧ２データの最初の部分が再生され、ＤＶ−ＳＤデータに変換され、出力端子１１０から出力されるまでの期間と、ＤＶ−ＳＤデータの最初の部分が再生され、出力端子１１０から出力されるまでの期間とが略一致する期間としてもよい。また、所定期間Ｔ１は、ＭＰＥＧ２データのデータレートによって変化するようにしてもよい。
【００６４】
バッファメモリ７０６は、記録媒体７０１から再生されたＤＶ−ＳＤＬデータに所定期間Ｔ２の遅延を与えるのに十分な容量を有するメモリである。本実施形態では、バッファメモリ７０６をランダムアクセスメモリで構成するが、これ以外の構成を採用してもよい。バッファメモリ７０６の読み出し及び書き込みも制御部７１３が制御する。
【００６５】
所定期間Ｔ２は、所定期間Ｔ１よりも短い期間であり、ＤＶ−ＳＤＬデコーダ７０７からの復号映像データとＭＰＥＧ２デコーダ７０８からの復号映像データとの間が一定期間以上広がらないようにするとともに、これらのＤＶ−ＳＤデータが重なり合わないようにするための期間である。所定期間Ｔ２は、（１）所定単位（例えば、１ＧＯＰ）のＭＰＥＧ２データを復号するまでに要する期間よりも長い期間としてもよく、（２）ＭＰＥＧ２データの最初の部分が再生され、ＤＶ−ＳＤデータに変換され、出力端子１１０から出力されるまでの期間と、ＤＶ−ＳＤＬデータの最初の部分が再生され、ＤＶ−ＳＤデータに変換され、出力端子１１０から出力されるまでの期間とが略一致する期間としてもよい。また、所定期間Ｔ１は、ＭＰＥＧ２データのデータレートによって変化するようにしてもよい。
【００６６】
ＤＶ−ＳＤＬデコーダ７０７は、再生部７０２からのＤＶ−ＳＤＬデータを復号し、復号したＤＶ−ＳＤＬデータをＤＶ−ＳＤエンコーダ７０９に供給する。
【００６７】
ＭＰＥＧ２デコーダ７０８は、再生部７０２からのＭＰＥＧ２データを復号し、復号したＭＰＥＧ２データをＤＶ−ＳＤエンコーダ７０９に供給する。このとき、ＭＰＥＧ２デコーダ７０８は、図５に示すように、Ｉ、Ｐ及びＢピクチャに係る映像データを正しい順番に並べ替え、それらをＤＶ−ＳＤエンコーダ７０９に供給する。
【００６８】
ＤＶ−ＳＤエンコーダ７０９は、ＤＶ−ＳＤＬデコーダ７０７又はＭＰＥＧ２デコーダ７０８からの映像データをＤＶ−ＳＤフォーマットに従って符号化する。つまり、ＤＶ−ＳＤエンコーダ７０９は、復号済みのＤＶ−ＳＤＬデータ及び復号済みのＭＰＥＧ２データをＤＶ−ＳＤデータに変換する。
【００６９】
スイッチ７１０は、制御部７１３からの指示に従ってバッファメモリ７０５又はＤＶ−ＳＤエンコーダ７０９を選択する。スイッチ７１０がバッファメモリ７０５又はＤＶ−ＳＤエンコーダ７０９を選択するタイミングは、制御部７１３により制御される。制御部７１３は、バッファメモリ７０５からのＤＶ−ＳＤデータとＤＶ−ＳＤエンコーダ１０７からのＤＶ−ＳＤデータとができるだけ連続するようにスイッチ７１０を制御する。これにより、ＤＶ−ＳＤデータとＭＰＥＧ２データから生成されたＤＶ−ＳＤデータとを連続的に出力端子７１２から外部装置に出力することができるようになるだけでなく、ＤＶ−ＳＤデータとＤＶ−ＳＤＬデータから生成されたＤＶ−ＳＤデータとを連続的に出力端子７１２から外部装置に出力することができるようになる。
【００７０】
デジタルインターフェース部７１１は、バッファメモリ７０５又はＤＶ−ＳＤエンコーダ７０９からのＤＶ−ＳＤデータを出力端子７１２から外部装置に出力する。このとき、デジタルインターフェース部７１１は、所定の転送方式（例えば、USB、IEEE Std 1394-1995等で規定されたアイソクロナス転送）に従ってＤＶ−ＳＤデータを外部に出力する。また、デジタルインターフェース部７１１は、バッファメモリ７０５からのＤＶ−ＳＤデータとＤＶ−ＳＤエンコーダ７０９からのＤＶ−ＳＤデータとの間に隙間がある場合、ヌルパケットを出力端子７１２から外部装置に出力する。本実施形態も第１の実施形態と同様に、ＤＶ規格用のＣＩＰヘッダのみを有するアイソクロナスパケットをヌルパケットとする。また、デジタルインターフェース部７１１は、ＭＰＥＧ２データから生成されたＤＶ−ＳＤデータとＤＶ−ＳＤＬデータから生成されたＤＶ−ＳＤデータとの間に隙間がある場合にも上記のヌルパケットを出力端子７１２から外部装置に出力する。
【００７１】
制御部７１３は、制御部７１３内のメモリに格納されたコンピュータプログラムに従って図７に示す映像再生装置の動作を制御する。
【００７２】
図８は、ＤＶ−ＳＤデータに続けてＭＰＥＧ２データを、ＭＰＥＧ２データに続けてＤＶ−ＳＤＬデータを記録媒体から再生する場合における手順を説明するための図である。
【００７３】
記録媒体７０１から再生されたＤＶ−ＳＤデータは、再生部７０２からバッファメモリ７０５に供給される。ＤＶ−ＳＤデータは、バッファメモリ７０５で所定期間Ｔ１だけ遅延した後、デジタルインターフェース部７１１に供給される。
【００７４】
ＤＶ−ＳＤデータの後に記録媒体７０１から再生されたＭＰＥＧ２データは、再生部７０２からＭＰＥＧ２デコーダ７０８に供給される。ＭＰＥＧ２データは、ＭＰＥＧ２デコーダ７０８で復号され、ＤＶ−ＳＤエンコーダ７０９でＤＶ−ＳＤデータに変換された後、デジタルインターフェース部７１１に供給される。このとき、ＭＰＥＧ２デコーダ７０８は、図８に示すように、Ｉ、Ｐ及びＢピクチャに係る映像データを正しい順番に並べ替え、それらをＤＶ−ＳＤエンコーダ７０９に供給する。
【００７５】
ＭＰＥＧ２データの後に記録媒体７０１から再生されたＤＶ−ＳＤＬデータは、再生部７０２からバッファメモリ７０６に供給される。ＤＶ−ＳＤＬデータは、バッファメモリ７０５で所定期間Ｔ２だけ遅延した後、ＤＶ−ＳＤＬデコーダ７０７で復号される。復号後のＤＶ−ＳＤＬデータは、ＤＶ−ＳＤエンコーダ７０９でＤＶ−ＳＤデータに変換された後、デジタルインターフェース部７１１に供給される。
【００７６】
制御部７１３は、バッファメモリ７０５からのＤＶ−ＳＤデータとＤＶ−ＳＤエンコーダ７０９からのＤＶ−ＳＤデータとができるだけ連続するようにスイッチ７１０を制御する。デジタルインターフェース部７１１は、バッファメモリ７０５からのＤＶ−ＳＤデータを出力端子７１２から出力した後、ＤＶ−ＳＤエンコーダ７０９からのＤＶ−ＳＤデータを出力端子７１２から出力する。この結果、再生されたＤＶ−ＳＤデータと再生されたＭＰＥＧ２データ及び再生されたＤＶ−ＳＤＬデータから生成されたＤＶ−ＳＤデータとは、図８に示すように、途切れることも重なり合うこともなく出力端子７１２から出力されることになる。
【００７７】
このように、本実施形態に係る映像再生装置によれば、記録媒体７０１から再生されたＤＶ−ＳＤデータをバッファメモリ７０５で遅延させ、記録媒体７０１から再生されたＤＶ−ＳＤＬデータをバッファメモリ７０６で遅延させることができるので、ＤＶ−ＳＤデータ、ＤＶ−ＳＤＬデータ及びＭＰＥＧ２データを続けて再生する場合であっても、再生されたＤＶ−ＳＤデータと再生されたＤＶ−ＳＤＬデータ又はＭＰＥＧ２データから生成されたＤＶ−ＳＤデータとを連続的に出力端子１１０から出力することができる。これにより、映像データの出力ができない期間を削減することができ、ユーザ又は外部装置に勘違いをさせてしまうという問題を解決することができる。また、映像データの出力ができない部分を削減することができ、肝心な部分を見ることも記録することもできないという問題を解決することができる。
【００７８】
図９は、本実施形態に係る映像再生装置で実行される再生処理の流れを説明するフローチャートである。この再生処理は、制御部７１３内のメモリに格納されたコンピュータプログラムに従って制御されるものとする。
【００７９】
ステップＳ９−１：再生部７０２は、ユーザからの指示に従って記録媒体７０１から符号化映像データを再生する。
【００８０】
ステップＳ９−２：制御部７１３は、フォーマット検出部７０３からのフォーマット情報により符号化映像データの符号化方式がＤＶ−ＳＤフォーマット、ＤＶ−ＳＤＬフォーマット及びＭＰＥＧ２フォーマットの何れであるかを判定する。符号化方式がＤＶ−ＳＤフォーマットであると判定した場合はステップＳ９−３に進み、ＤＶ−ＳＤフォーマットであると判定した場合はステップＳ９−４に進み、ＭＰＥＧ２フォーマットであると判定した場合はステップＳ９−６に進む。
【００８１】
ステップＳ９−３：バッファメモリ７０５は、記録媒体７０１から再生されたＤＶ−ＳＤデータに所定期間Ｔ１の遅延を与える。
【００８２】
ステップＳ９−４：バッファメモリ７０６は、記録媒体７０１から再生されたＤＶ−ＳＤＬデータに所定期間Ｔ２の遅延を与える。
【００８３】
ステップＳ９−５：ＤＶ−ＳＤＬデコーダ７０７は、再生部７０２からのＤＶ−ＳＤＬデータを復号し、復号したＤＶ−ＳＤＬデータをＤＶ−ＳＤエンコーダ７０９に供給する。
【００８４】
ステップＳ９−６：ＭＰＥＧ２デコーダ７０８は、再生部７０２からのＭＰＥＧ２データを復号し、復号したＭＰＥＧ２データをＤＶ−ＳＤエンコーダ７０９に供給する。
【００８５】
ステップＳ９−７：ＤＶ−ＳＤエンコーダ７０９は、ＭＰＥＧ２デコーダ７０８からの映像データをＤＶ−ＳＤフォーマットに従って符号化する。つまり、ＤＶ−ＳＤエンコーダ７０９は、復号済みのＭＰＥＧ２データをＤＶ−ＳＤデータに変換する。
【００８６】
ステップＳ９−８：デジタルインターフェース部７１１は、バッファメモリ７０５又はＤＶ−ＳＤエンコーダ７０９からのＤＶ−ＳＤデータを出力端子７１２から外部装置に出力する。但し、バッファメモリ７０５からのＤＶ−ＳＤデータとＤＶ−ＳＤエンコーダ７０９からのＤＶ−ＳＤデータとの間に隙間がある場合、上記のヌルパケットを出力端子７１２から外部装置に出力する。
【００８７】
尚、本実施形態に係る映像再生装置は、バッファメモリ７０５及び／又は７０６をディレイラインのような遅延素子に置き換えて構成することも可能である。
【００８８】
また、本実施形態に係る映像再生装置は、ＤＶ−ＳＤＬデコーダ７０７の前ではなくＤＶ−ＳＤＬデコーダ７０７の後にバッファメモリ７０６を配置して構成することも可能である。
【００８９】
また、本実施形態に係る映像再生装置は、３つ以上の異なるフォーマットで符号化された映像データが記録されている記録媒体を再生する構成とすることも可能である。
【００９０】
また、本実施形態に係る映像再生装置は、第２の実施形態に係る映像再生装置と同様に、ＭＰＥＧ２デコーダ７０８の前にバッファメモリを設ける構成とすることも可能である。
【００９１】
［他の実施形態］
また、前述の各実施形態の目的は、前述した実施形態の機能を実現するコンピュータプログラムを記録した記憶媒体（または記録媒体）を、システムあるいは装置に供給し、そのシステムあるいは装置のコンピュータ（またはＣＰＵやＭＰＵ）が記憶媒体に格納されたコンピュータプログラムを読み出し実行することによっても、達成されることは言うまでもない。この場合、記憶媒体から読み出されたコンピュータプログラム自体が前述した実施形態の機能を実現することになり、そのコンピュータプログラムを記憶した記憶媒体は本発明を構成することになる。また、コンピュータが読み出したコンピュータプログラムを実行することにより、前述した実施形態の機能が実現されるだけでなく、そのコンピュータプログラムの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００９２】
さらに、記憶媒体から読み出されたコンピュータプログラムが、コンピュータに挿入された機能拡張カードやコンピュータに接続された機能拡張ユニットに備わるメモリに書込まれた後、そのコンピュータプログラムの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００９３】
本発明を上記記憶媒体に適用する場合、その記憶媒体には、先に説明したフローチャートに対応するコンピュータプログラムが格納されることになる。
【図面の簡単な説明】
【００９４】
【図１】第１の実施形態に係る映像再生装置の構成を示すブロック図である。
【図２】ＤＶ−ＳＤデータに続けてＭＰＥＧ２データを記録媒体から再生する場合における手順を説明するための図である。
【図３】ＭＰＥＧ２データに続けてＤＶ−ＳＤデータを記録媒体から再生する場合における手順を説明するための図である。
【図４】第２の実施形態に係る映像再生装置の構成を示すブロック図である。
【図５】所定単位（例えば、１ＧＯＰ）のＭＰＥＧ２データをＤＶ−ＳＤデータに変換するまでに要する時間（遅延量）を説明するための図である。
【図６】第１及び第２の実施形態に係る映像再生装置で実行される再生処理を説明するフローチャートである。
【図７】第３の実施形態に係る映像再生装置の構成を示すブロック図である。
【図８】ＤＶ−ＳＤデータに続けてＭＰＥＧ２データを、ＭＰＥＧ２データに続けてＤＶ−ＳＤＬデータを記録媒体から再生する場合における手順を説明するための図である。
【図９】第３の実施形態に係る映像再生装置で実行される再生処理を説明するフローチャートである。
【図１０】従来の技術の課題を説明するための図である。
【符号の説明】
【００９５】
１０１  記録媒体
１０２  再生部
１０３  フォーマット検出部
１０４  スイッチ
１０５  バッファ
１０６  ＭＰＥＧデコーダ
１０７  ＤＶ−ＳＤエンコーダ
１０８  スイッチ
１０９  デジタルインターフェース部
１１０  出力端子
１１１  制御部
４０１  バッファ
７０１  記録媒体
７０２  再生部
７０３  フォーマット検出部
７０４  スイッチ
７０５  バッファ
７０６  バッファ
７０７  ＤＶ−ＳＤＬデコーダ
７０８  ＭＰＥＧデコーダ
７０９  ＤＶ−ＳＤエンコーダ
７１０  スイッチ
７１１  デジタルインターフェース部
７１２  出力端子
７１３  制御部
【図１】
2006197129.tif 000003
【図２】
2006197129.tif 000004
【図３】
2006197129.tif 000005
【図４】
2006197129.tif 000006
【図５】
2006197129.tif 000007
【図６】
2006197129.tif 000008
【図７】
2006197129.tif 000009
【図８】
2006197129.tif 000010
【図９】
2006197129.tif 000011
【図１０】
2006197129.tif 000012